(57)【要約】【課題】壁或いは地面に設置でき、集水と給水装置を持つ植え鉢構造を提供する。【解決手段】植え鉢本体５、土壌保護棚６及び補助棚７を含む。植え鉢本体５は、上から下へ植え槽５０、集水皿５１及び引流板５２が設置され、植え槽５０にはフィルター板５３が設置されている。植え鉢本体５の上方両側の板には凹み槽５４が設置され、底面には二つの欠け口５５が開き、土壌保護棚６が設置され、裏側には掛けフック槽５６が設置されている。土壌保護棚６は二つのＬ型のレバー６０が連結したものであり、水平のレバー６０が欠け口５５に嵌り込み、垂直のレバー６０の上方にはそれぞれ掛けフック槽６１が設置されている。土壌保護棚６は下にある植え鉢を抑えながら、植え鉢の中の土壌が大量に流出することを防ぎ、同時に上方の植え鉢を支えて安定性を増加可能である。【選択図】図４
0003147774.tif 000002
【実用新案登録請求の範囲】
【請求項１】
植え鉢本体と、土壌保護棚と、を備える植え鉢であって、
前記植え鉢本体は、やや台形になり、上から下へ植え槽、集水皿及び引流板が設置され、前記植え槽にはフィルター板が設置され、よって、花を植えるための前記植え槽と水分を集めるための前記集水皿は上下分離することになり、前記植え槽の内部に余分な水分が有る場合、重力によって下の前記集水皿まで流し込んで貯存することになり、前記集水皿が満水になれば、前記引流板の欠け口によって下に位置するもう一つの植え鉢本体の植え槽まで引流し、そうすれば、上から下が一つになり、故に、給水作業では、水管を利用して上から水をかければ、下を含む全部の植え鉢の給水作業を完成可能であり、前記引流板には、前記植え鉢本体の斜め中央あたりに三角形の方式で上方の前記欠け口が作られ、前記植え鉢本体の上方両側の板には、それぞれ一つの簡単に曲がる凹み槽が設置され、水管の設置に提供され、底面には二つの欠け口が開き、よって、前記土壌保護棚が設置され、裏側には掛けフック槽が一つ設置され、前記掛けフック槽を垂直壁或いは傾斜壁の網に飾りかけ、前記植え鉢本体を簡単に網に掛けることが可能であり、垂直壁或いは傾斜壁を緑化及び美化可能であり、同時に前記植え鉢本体の正面のカラー画描きなどの効果によって、垂直壁或いは傾斜壁を美化可能であり、
前記土壌保護棚は、二つのＬ型のレバーが併行して連結したものであり、水平の二つの前記レバーを利用して前記植え鉢本体の底の二つの前記欠け口に嵌り込み、垂直の前記レバーの上方にはそれぞれ掛けフック槽が設置され、前記掛けフック槽を網に掛けることによって、前記土壌保護棚は下にある植え鉢を抑えながら、植え鉢の中の土壌が大量に流出することを防ぎ、同時に上方に掛けてある植え鉢を支えて安定性を増加可能であることを特徴とする植え鉢。
【請求項２】
さらに補助棚を備え、
前記補助棚は、やや三角形になっており、前記植え鉢本体の前記掛けフック槽の構造特徴に合わせて、上方に反対した９の字形の繋がり接頭が設置され、もう一つの角には開口が上に向く掛け槽が設置され、反対した９の字形の前記繋がり接頭を利用して前記植え鉢本体の前記掛けフック槽に嵌り込み、開口が上に向く前記掛け槽を前記引流板に形成されている前記欠け口に掛け、前記植え鉢本体及び前記フィルター板は前記欠け口と互いに制限し合い、よって、前記補助棚と前記植え鉢本体と前記フィルター板の三者がまるで完全に一つに連結するようになり、前記植え鉢本体が３本足を持つ植え鉢になり、簡単に垂直壁や傾斜壁に安定して掛けることが可能であり、環境を美化可能であるほか、平面にも置くことが可能であり、一般の植え鉢として使用可能であることを特徴とする請求項１記載の植え鉢。
【考案の詳細な説明】
【技術分野】
【０００１】
本考案は、一種の植え鉢に関し、特に、一種の垂直壁或いは斜め壁や地面に飾れて、集水と給水装置を持つ植え鉢容器に関する。
【背景技術】
【０００２】
植え鉢は、主に、花を植える時に使用する容器である。普段良く使われる植え鉢の構造としては、鉢底の中央に排水穴を作り、よって、植え鉢の土壌に含まれる余分な水分を排出し、植物の根が長期に余分な水分に浸って腐ることを防ぐ。同時に植え鉢の底には大抵一つの集水皿を敷き、よって、植え鉢から排出した汚水が集まる。しかし、このような植え鉢及び集水皿の構造は、分離した独立な個体であり、使用する者が整理或いは移動する時、別々に整理或いは移動をしなければならない。したがって、使用者の整理や移動上の不便になり、更に、植え鉢の使用範囲は限られているため、室外の庭に放置して、飾りや環境美化の使い道しかできず、棚の上或いは支え棚と結合して掛け、飾り及び環境を美化することはできない。その他、普段、垂直面や傾斜面によく使われている花飾りは、先に網状の物体を垂直壁や傾斜壁に取り付けてから、縄などの物を利用して植え鉢をそれぞれ網状物体に縛って固定することになる。或いは、他に掛けフックを利用して、網状物体に掛け、よって、垂直壁或いは傾斜壁を花で飾り、環境美化の目的を達成することになる。このような組合せ技術は、予想した垂直壁或いは傾斜壁を美化する目的を達成することが出来るが、縛りつける方法或いは他にフックを利用して植え鉢を掛けて垂直壁或いは傾斜壁を飾り、美化する目的が完成されるには、時間や体力がかかり、そして、集水装置及び土壌保護棚が設置されていないため、余分な水分を保つことが出来ない他、植え鉢表面の土壌が流失することをも防げない。そのため、更に改良する必要がある。
【０００３】
図１から図３を参照する。上述した従来の植え鉢に既に存在する欠点を対象として改良設計した従来の掛け式植え鉢構造は、主に、一つの掛け棚１、一つの植え鉢２及び一つの集水皿３から構成されている。掛け棚１はＵ字体の棚体１０であり、棚体１０は二つの面したちょっと内側に傾斜した壁板１１ａ、壁板１１ｂの上にそれぞれ一つの長いＣ型の欠け口１３が設置され、植え鉢本体２０の口縁２１に嵌り込む。壁板１１ａ、壁板１１ｂの外側上方にフック縁１５が形成され、棚体１０の底板１２には複数個の穴１７が開いている。よって、ボルトで棚体１０を壁面４の上に固定し、植え鉢２を掛けることになる。そして、集水皿３は皿底に予め設置した条状突起３１を利用して植え鉢２底に設置してある穴２２に差し込まれる。条状突起３１と穴２２との密着した配合作用により、集水皿３が植え鉢２の底と連接することができ、集水する効果或いは植え鉢２の中の余分な水分が流れ出ることを防ぐ目的を達成する。但し、従来の掛け式植え鉢の構造は、素早く掛ける、或いは取り外す、及び外の植え鉢に取り替えるなどの作業はできるものの、植え鉢を快速に掛ける、及び取り外す構造から、下記の幾つかの欠点を生み出すことになる。
【０００４】
１、棚体１０は、一対一の単独個体であり、即ち、植え鉢を一つしか掛けることができない。そして、それぞれボルトで植え鉢を壁、或いは固定される物体に取り付けなければならない。
２、植え鉢２は、簡単に棚体１０のＣ型欠け口１３に嵌り込むことができ、対応する欠け口１３は必ず植え鉢の縁の厚さより大きく、よって、植え鉢は簡単に掛けられるようになる。弛めた対応関係によって、植え鉢２と棚体１０との間を緩め、そのため、棚体１０に嵌り込んでいる植え鉢２が外力で緩んで落ちないことは保証し難い。
【０００５】
３、集水皿３と植え鉢２との連結は、集水皿３の上にある条状突起３１のみを利用して、密着した配合方式で植え鉢２の穴２２に差込み、よって、植え鉢２の下に連結する。しかし、条状突起３１は密着した方式で穴２２に差し込まれているため、条状突起３１と穴２２との間には隙間がないはずである。そうすれば、植え鉢２の内部の余分な水分は決して集水皿３に流れ込むことはできなくなる。言い換えれば、もし植え鉢２の内部にある余分な水分が順調に集水皿３に流れ込むことができれば、条状突起３１と穴２２との間には隙間ができていることになる。よって、植え鉢２の下にある集水皿３はきっと落ちるようになり、短い間に落ちなくても、集水過量或いは頻繁な使用の結果、いつかは必ず落下する。
上述した普段よく使われている植え鉢と従来の掛け式植え鉢の構造は、長い間既に欠点が存在し、本考案の創作者は数十年の実際従業経験を積み重ね、積極的に研究及び改良し、数回のサンプル実際テスト修正を通して、やっと本考案を作り上げた。
【考案の開示】
【考案が解決しようとする課題】
【０００６】
本考案の主要な目的は、植え鉢を提供し、特に、垂直壁或いは斜め壁や地面に飾れ、集水と給水装置を持つ植え鉢容器を提供する。
【課題を解決するための手段】
【０００７】
本考案は、主に、植え鉢本体、土壌保護棚及び補助棚を含む。植え鉢本体はやや台形になり、上から下へ植え槽、集水皿及び引流板が設置されている。植え槽にはフィルター板が設置され、よって、花を植えるための植え槽と水分を集めるための集水皿は上下分離することになる。植え槽の内部に余分な水分が有る場合、重力によって下の集水皿まで流し込んで貯存することになり、集水皿が満水になれば、引流板の欠け口によって下に位置するもう一つの植え鉢本体の植え槽まで引流する。そうすれば、上から下が一つになり、故に、給水作業では、水管を利用して上から水をかければ、下を含む全部の植え鉢の給水作業を完成可能である。引流板は植え鉢本体の斜め中央あたりに三角形の方式で上方の欠け口が作られ、植え鉢本体の上方両側の板にはそれぞれ一つの簡単に曲がる凹み槽が設置され、水管の設置に提供され、底面には二つの欠け口が開き、よって、土壌保護棚が設置され、裏側には掛けフック槽が一つ設置されている。掛けフック槽を垂直壁或いは傾斜壁の網に飾りかけ、植え鉢本体を簡単に網に掛けることが可能であり、垂直壁或いは傾斜壁を緑化及び美化可能である。同時に植え鉢本体の正面のカラー画描きなどの効果によって、垂直壁或いは傾斜壁を美化可能である。土壌保護棚は二つのＬ型レバーが併行して連結したものであり、水平の二つのレバーを利用して、植え鉢本体の底の二つの欠け口に嵌り込む。垂直のレバーの上方にはそれぞれ掛けフック槽が設置され、掛けフック槽を網に掛けることによって、土壌保護棚は下にある植え鉢を抑えながら、植え鉢の中の土壌が大量に流出することを防ぐ。同時に上方に掛けてある植え鉢を支えて安定性を増加可能であることを特徴とする。
【０００８】
本考案の植え鉢は、主に、植え鉢本体、土壌保護棚及び補助棚などを含む。植え鉢本体は台形になり、その中には植え槽と集水槽及び引流板を設置する。上方の左右側の板には水管用凹み槽を置くために取り外せる曲り板を設置し、底には土壌保護棚用の欠け口が二つ開けてあり、その片方が予定した掛けフックで網の上に掛けられ、植え鉢本体が簡単に垂直式や傾斜式の網にかけられることになる。そして、土壌保護棚は植え鉢本体の底に嵌り込みよって下に有る植え鉢を抑え、上方に掛けた植え鉢の安定性を増強する。全体的にＬ字型となり、水平レバーを利用して植え鉢本体底面の二つの欠け口に嵌り込み、そして、垂直レバーにある掛けフックを利用して網に掛け、上方に掛けた植え鉢の安定性を増強し、下にある植え鉢を抑え、植え鉢の土壌を保護して、大量に流失しない効果を持つ。
【０００９】
本考案の植え鉢は、主に、植え鉢本体、土壌保護棚及び補助棚などを含み、補助棚は植え鉢本体を直立設置させるように使用する。その整体は三角形になり、植え鉢本体に配合してフック掛けの構造特徴の上に反対した９の字形の繋がり接頭を設置する。もう一つの角には開口が上に向く槽を設置して、反対した９の字形の繋がり接頭を利用して植え鉢本体の槽に嵌り込む。そして、開口が上に向く槽を引流板に形成されている欠け口に掛け、植え鉢本体の中にあるフィルター板と引っ掛け合い、よって、補助棚は植え鉢本体とまるで完全に一つに連結するようになる。植え鉢本体が３本足を持つ植え鉢になり、簡単に垂直壁や傾斜壁に安定して掛けることができ、環境を美化できるほか、平面にも置くことができ、一般の植え鉢として使用することができる。
【考案を実施するための最良の形態】
【００１０】
以下、本考案の実施の形態を図面に基づいて説明する。
（一実施形態）
図４及び図５に示すように、本考案の一実施形態による植え鉢は、主に、植え鉢本体５、土壌保護棚６及び補助棚７を含む。植え鉢本体５は、やや台形になり、上から下へ植え槽５０、集水皿５１及び引流板５２が設置してある。植え槽５０にはフィルター板５３を設置し、よって、花を植えるための植え槽５０と水分を集めるための集水皿５１は上下分離することになる。植え槽５０の内部に余分な水分が有る場合、重力によって下の集水皿５１まで流し込んで貯存することになる。そして、集水皿５１が満水になれば、引流板５２の欠け口５２０によって下に位置するもう一つの植え鉢本体の植え槽まで引流する。そうすれば、上から下に一つになり、故に、給水作業では、水管８を利用して上から水をかければ、下を含む全部の植え鉢の給水作業を完成できる。下引流板５２には植え鉢本体５の斜め中央辺りに三角形の方式で上方の欠け口５２０を作り、植え鉢本体５の上方両側の板にはそれぞれ一つの簡単に曲がる凹み槽５４が設置してあり、水管８の設置に提供され、底面には二つの欠け口５５が開き、よって、土壌保護棚６を設置し、裏側には掛けフック槽５６が一つ設置してある。そして、掛けフック槽５６を垂直壁或いは傾斜壁４の網９に飾りかけ、植え鉢本体５を簡単に網９に掛けることができ、垂直壁或いは傾斜壁４を緑化及び美化することができる。同時に、植え鉢本体５正面のカラー画描きなどの効果によって、垂直壁或いは傾斜壁４を美化することができる。そして、土壌保護棚６は二つのＬ型レバーが併行して連結したものであり、水平の二つのレバー６０を利用して植え鉢本体５の底の二つの欠け口５５に嵌り込み、そして、垂直レバーの上方にはそれぞれ掛けフック槽６１を設置する。掛けフック槽６１を網９に掛けることによって、土壌保護棚６は下にある植え鉢を抑えながら植え鉢の中の土壌が大量に流出することを防ぐ。同時に上方に掛けてある植え鉢を支えて安定性を増加させる（図５参照）。
【００１１】
更に、図６に示すように、本実施形態の植え鉢本体は上述した網掛け専用のほか、更に一つの補助棚７と組み合わせてから、平面に放置して使用することができる。補助棚７はやや三角形になっており、植え鉢本体５の掛けフック槽５６の構造特徴に合わせて、上方に反対した９の字形の繋がり接頭７０を設置し、もう一つの角には開口が上に向く掛け槽７１を設置する。反対した９の字形の繋がり接頭７０を利用して植え鉢本体５の掛けフック槽５６に嵌り込み、そして、開口が上に向く掛け槽７１を引流板５２に形成されている欠け口５２０に掛ける。そして、植え鉢本体５及びフィルター板５３は欠け口５３０と互いに制限し合い、よって、補助棚７と植え鉢本体５とフィルター板５３の三者がまるで完全に一つに連結するようになる。植え鉢本体５が３本足を持つ植え鉢になり、簡単に垂直壁や傾斜壁に安定して掛けることができ、環境を美化できるほか、平面にも置くことができ、一般の植え鉢として使用することができる。
【００１２】
上記の論述を総合すると、本実施形態の植え鉢は、植え鉢本体の中には上から下へ植え槽と集水皿を設置し、集水皿の斜めを利用して三角形の引流板を設計する。引流板の上に欠け口を作り、よって、満水の時に水が溢れ出して、下の植え鉢まで流れ込むことができる。植え鉢本体の片方には掛けフック槽を設置して網に掛けられるようにするほか、下は更に土壌保護棚に嵌り込むことができ、植え鉢を掛ける時の安定性を増加する。そして、下の方にある植え鉢にとって、土壌保護棚は植え鉢の中にある土壌を保護して大量に流失しない効果を持つ。その他、植え鉢本体は補助棚と組み合わせることができ、三本足を持つ植え鉢になり、平面に放置するように使用できる。そのため、本実施形態は植え鉢の従来の欠点をなくすほか、同時に土壌保護棚と結合して掛け植え鉢の安定性を向上させることもできる。或いは、補助棚と組み合わせて、平面に置けるような植え鉢として使用することもできる。故に、効果と予想した目的とは完全に符合し、整体的な技術手段は新しく、極実用性及び進?性を持っており、合理的な新型考案と言える。実に実用新案に定められた新型考案の要件、進?性、創新性及び実用性と一致し、従って、法律によって本件を提出して、貴局に審査許可を申し込み、誠に考案権利を早く取得して、創作者の研究創作苦心を励まし、更に申請者の獲得すべき権益を保護することができる。
本考案はより良い実施形態を既に前述したように発表したが、しかし、それは本考案に限らず、この技芸に熟する者は誰でも、本考案の精神と原則から離れない範囲内の本考案に対する変更及び修正は、考案申請に決められた範囲に含まれるべきである。
【図面の簡単な説明】
【００１３】
【図１】従来の掛け式植え鉢を示す分解斜視図である。
【図２】従来の掛け式植え鉢を示す斜視図である。
【図３】従来の掛け式植え鉢の取り付け使用状態を示す断面図である。
【図４】本考案の一実施形態による植え鉢構造を示す分解斜視図、及び部分断面図である。
【図５】本考案の一実施形態による植え鉢構造の植え鉢本体と土壌保護棚とを組合せた状態を示す断面図である。
【図６】本考案の一実施形態による植え鉢構造の植え鉢本体と補助棚とを組合せた状態を示す断面図である。
【符号の説明】
【００１４】
１：掛け棚、２：植え鉢、３：集水皿、４：壁面、５：植え鉢本体、６：土壌保護棚、７：補助棚、８：水管、９：網、１０：棚体、１１ａ：壁板、１１ｂ：壁板、１２：底板、１３：Ｃ形欠け口、１５：フック縁、１７：穴、２０：植え鉢本体、２１：口縁、２２：穴、３１：条状突起、５０：植え槽、５１：集水皿、５２：引流板、５３：フィルター板、５４：凹み槽、５５：欠け口、５６：掛けフック槽、６０：レバー、６１：掛けフック槽、７０：繋がり接頭、７１：掛け槽、５２０：欠け口、５３０：欠け口
【図１】
0003147774.tif 000003
【図２】
0003147774.tif 000004
【図３】
0003147774.tif 000005
【図４】
0003147774.tif 000006
【図５】
0003147774.tif 000007
【図６】
0003147774.tif 000008